(57)【要約】【課題】  両面出力用の画像データを複数含む画像データを出力する場合に、両出力面に関して各画像データの対応関係を保つ配置を行い、各出力面に関して画像データの位置が変更された際には、その相対位置を保つように自動的に他方の出力面に関して対応する画像データの位置調整を行うことで、作業者の手間を省き、簡便に両面印刷が成されたカラープルーフを作成する。【解決手段】  画像配置部２２は、画像データ保存部２０に保存された複数の表面出力用の画像データと裏面出力用の画像データを、各々、別個の画像出力領域に相当するデータ領域内に互いの対応関係を保つように配置し、それらを１つの表面用画像データと１つの裏面用画像データとする。作業者が配置変更部２３によりそれらの画像データの位置を変更した場合には、画像配置部２２は、その変更された位置に応じて他方の出力面に関し対応する画像データの位置をその相対位置が保たれるように調整する。【選択図】      図３
2005122300.tif 000002
【特許請求の範囲】
【請求項１】
外部装置から受けた記録用紙の表面出力用の画像データと裏面出力用の画像データの組合せを複数保存する保存手段と、
前記保存された複数の表面出力用の画像データと複数の裏面出力用の画像データを、それぞれ前記記録用紙の表面と裏面の画像出力領域に相当するデータ領域内の互いに対応する位置に配置する画像配置手段と、
前記データ領域内に複数の表面出力用の画像データが配置された画像データと前記複数の裏面出力用の画像データが配置された画像データを、それぞれ表面用画像データと裏面用画像データとし、それらの画像データをそれぞれ前記記録用紙の表面と裏面に出力させる出力指示信号と共に送信する出力制御手段と、を有する制御装置と、
前記送信された表面用画像データと裏面用画像データと、それらの出力指示信号を受けて、前記表面用画像データと前記裏面用画像データを、それぞれその出力指示信号に従って前記記録用紙の表面と裏面に出力することでカラープルーフを作成する画像出力装置と、を備えたことを特徴とする画像出力システム。
【請求項２】
前記データ領域内に配置された表面出力用の画像データ又は裏面出力用の画像データの配置を変更するための配置変更手段と、
前記変更された一方の出力用の画像データの配置に応じて、これに対応する他方の出力用の画像データの配置をそれらの相対位置を保つように調整する配置調整手段と、をさらに有することを特徴とする請求項１記載の画像出力システム。
【請求項３】
外部装置から受けた記録用紙の一方の片面出力用の画像データと他方の片面出力用の画像データの組合せを複数保存する保存手段と、
前記保存された各組の一方の片面出力用の画像データと他方の片面出力用の画像データのそれぞれに対して、その出力面が異なるように前記記録用紙の表面と裏面の何れか一方を設定するための設定手段と、
前記出力面が設定された各組の一方の片面出力用の画像データと他方の片面出力用の画像データを、その設定された出力面に従って、それぞれ前記記録用紙の表面と裏面の画像出力領域に相当するデータ領域内の互いに対応する位置に配置する画像配置手段と、
前記データ領域内に複数の一方の片面出力用の画像データが配置された画像データと前記複数の他方の片面出力用の画像データが配置された画像データを、それぞれその出力面に従って、表面用画像データと裏面用画像データとし、それらの画像データをそれぞれ前記記録用紙の表面と裏面に出力させる出力指示信号と共に送信する出力制御手段と、を有する制御装置と、
前記送信された表面用画像データと裏面用画像データと、それらの出力指示信号を受けて、前記表面用画像データと前記裏面用画像データを、それぞれその出力指示信号に従って前記記録用紙の表面と裏面に出力することでカラープルーフを作成する画像出力装置と、を備えたことを特徴とする画像出力システム。
【請求項４】
前記データ領域内に配置された一方の片面出力用の画像データ又は他方の片面出力用の画像データの配置を変更するための配置変更手段と、
前記変更された一方の出力用の画像データの配置に応じて、これに対応する他方の出力用の画像データの配置をそれらの相対位置を保つように調整する配置調整手段と、をさらに有することを特徴とする請求項３記載の画像出力システム。
【請求項５】
前記外部装置から受けた記録用紙の表面出力用の画像データと裏面出力用の画像データは、ラスター画像データであることを特徴とする請求項１乃至請求項４の何れか一項に記載の画像出力システム。
【請求項６】
前記画像出力装置は、カラーレーザープリンタであることを特徴とする請求項１乃至請求項５の何れか一項に記載の画像出力システム。
【請求項７】
記録用紙の表面用画像データと裏面用画像データに基づく画像を出力指示信号に従って前記記録用紙の表面と裏面に出力することでカラープルーフを作成する画像出力装置に対して、その出力制御を行う制御装置であって、
外部装置から受けた記録用紙の表面出力用の画像データと裏面出力用の画像データの組合せを複数保存する保存手段と、
前記保存された複数の表面出力用の画像データと複数の裏面出力用の画像データを、それぞれ前記記録用紙の表面と裏面の画像出力領域に相当するデータ領域内の互いに対応する位置に配置する画像配置手段と、
前記データ領域内に複数の表面出力用の画像データが配置された画像データと前記複数の裏面出力用の画像データが配置された画像データを、それぞれ前記表面用画像データと前記裏面用画像データとし、それらの画像データをそれぞれ前記記録用紙の表面と裏面に出力させる前記出力指示信号と共に送信する出力制御手段と、を有することを特徴とする制御装置。
【請求項８】
前記データ領域内に配置された表面出力用の画像データ又は裏面出力用の画像データの配置を変更するための配置変更手段と、
前記変更された一方の出力用の画像データの配置に応じて、これに対応する他方の出力用の画像データの配置をそれらの相対位置を保つように調整する配置調整手段と、をさらに有することを特徴とする請求項７記載の制御装置。
【請求項９】
記録用紙の表面用画像データと裏面用画像データに基づく画像を出力指示信号に従って前記記録用紙の表面と裏面に出力することでカラープルーフを作成する画像出力装置に対して、その出力制御を行う制御装置であって、
外部装置から受けた記録用紙の一方の片面出力用の画像データと他方の片面出力用の画像データの組合せを複数保存する保存手段と、
前記保存された各組の一方の片面出力用の画像データと他方の片面出力用の画像データのそれぞれに対して、その出力面が異なるように前記記録用紙の表面と裏面の何れか一方を設定するための設定手段と、
前記出力面が設定された各組の一方の片面出力用の画像データと他方の片面出力用の画像データを、その設定された出力面に従って、それぞれ前記記録用紙の表面と裏面の画像出力領域に相当するデータ領域内の互いに対応する位置に配置する画像配置手段と、
前記データ領域内に複数の一方の片面出力用の画像データが配置された画像データと前記複数の他方の片面出力用の画像データが配置された画像データを、それぞれその出力面に従って、前記表面用画像データと前記裏面用画像データとし、それらの画像データをそれぞれ前記記録用紙の表面と裏面に出力させる前記出力指示信号と共に送信する出力制御手段と、を有することを特徴とする制御装置。
【請求項１０】
前記データ領域内に配置された一方の片面出力用の画像データ又は他方の片面出力用の画像データの配置を変更するための配置変更手段と、
前記変更された一方の出力用の画像データの配置に応じて、これに対応する他方の出力用の画像データの配置をそれらの相対位置を保つように調整する配置調整手段と、をさらに有することを特徴とする請求項９記載の制御装置。
【請求項１１】
前記外部装置から受けた記録用紙の表面出力用の画像データと裏面出力用の画像データは、ラスター画像データであることを特徴とする請求項７乃至請求項１０の何れか一項に記載の制御装置。
【請求項１２】
前記画像出力装置は、カラーレーザープリンタであることを特徴とする請求項７乃至請求項１１の何れか一項に記載の制御装置。
【請求項１３】
記録用紙の表面用画像データと裏面用画像データに基づく画像を出力指示信号に従って前記記録用紙の表面と裏面に出力することでカラープルーフを作成する画像出力装置に対して、その出力制御を行う制御装置における画像出力方法であって、
外部装置から受けた記録用紙の表面出力用の画像データと裏面出力用の画像データの組合せを複数保存する保存ステップと、
前記保存された複数の表面出力用の画像データと複数の裏面出力用の画像データを、それぞれ前記記録用紙の表面と裏面の画像出力領域に相当するデータ領域内の互いに対応する位置に配置する画像配置ステップと、
前記データ領域内に複数の表面出力用の画像データが配置された画像データと前記複数の裏面出力用の画像データが配置された画像データを、それぞれ前記表面用画像データと前記裏面用画像データとし、それらの画像データをそれぞれ前記記録用紙の表面と裏面に出力させる前記出力指示信号と共に送信する出力制御ステップと、を含むことを特徴とする画像出力方法。
【請求項１４】
前記データ領域内に配置された表面出力用の画像データ又は裏面出力用の画像データの配置が変更される配置変更ステップと、
前記変更された一方の出力用の画像データの配置に応じて、これに対応する他方の出力用の画像データの配置をそれらの相対位置を保つように調整する配置調整ステップと、をさらに含むことを特徴とする請求項１３記載の画像出力方法。
【請求項１５】
記録用紙の表面用画像データと裏面用画像データに基づく画像を出力指示信号に従って前記記録用紙の表面と裏面に出力することでカラープルーフを作成する画像出力装置に対して、その出力制御を行う制御装置における画像出力方法であって、
外部装置から受けた記録用紙の一方の片面出力用の画像データと他方の片面出力用の画像データの組合せを複数保存する保存ステップと、
前記保存された各組の一方の片面出力用の画像データと他方の片面出力用の画像データのそれぞれに対して、その出力面が異なるように前記記録用紙の表面と裏面の何れか一方が設定される設定ステップと、
前記出力面が設定された各組の一方の片面出力用の画像データと他方の片面出力用の画像データを、その設定された出力面に従って、それぞれ前記記録用紙の表面と裏面の画像出力領域に相当するデータ領域内の互いに対応する位置に配置する画像配置ステップと、
前記データ領域内に複数の一方の片面出力用の画像データが配置された画像データと前記複数の他方の片面出力用の画像データが配置された画像データを、それぞれその出力面に従って、前記表面用画像データと前記裏面用画像データとし、それらの画像データをそれぞれ前記記録用紙の表面と裏面に出力させる前記出力指示信号と共に送信する出力制御ステップと、を含むことを特徴とする画像出力方法。
【請求項１６】
前記データ領域内に配置された一方の片面出力用の画像データ又は他方の片面出力用の画像データの配置が変更される配置変更ステップと、
前記変更された一方の出力用の画像データの配置に応じて、これに対応する他方の出力用の画像データの配置をそれらの相対位置を保つように調整する配置調整ステップと、をさらに含むことを特徴とする請求項１５記載の画像出力方法。
【請求項１７】
前記外部装置から受けた記録用紙の表面出力用の画像データと裏面出力用の画像データは、ラスター画像データであることを特徴とする請求項１３乃至請求項１６の何れか一項に記載の画像出力方法。
【請求項１８】
前記画像出力装置は、カラーレーザープリンタであることを特徴とする請求項１３乃至請求項１７の何れか一項に記載の画像出力方法。
【請求項１９】
記録用紙の表面用画像データと裏面用画像データに基づく画像を出力指示信号に従って前記記録用紙の表面と裏面に出力することでカラープルーフを作成する画像出力装置に対して、その出力制御を行う制御装置のコンピュータにおいて実行されるプログラムであって、
外部装置から受けた記録用紙の表面出力用の画像データと裏面出力用の画像データの組合せを複数保存する保存処理ステップと、
前記保存された複数の表面出力用の画像データと複数の裏面出力用の画像データを、それぞれ前記記録用紙の表面と裏面の画像出力領域に相当するデータ領域内の互いに対応する位置に配置する画像配置処理ステップと、
前記データ領域内に複数の表面出力用の画像データが配置された画像データと前記複数の裏面出力用の画像データが配置された画像データを、それぞれ前記表面用画像データと前記裏面用画像データとし、それらの画像データをそれぞれ前記記録用紙の表面と裏面に出力させる前記出力指示信号と共に送信する出力制御処理ステップと、を含むことを特徴とするプログラム。
【請求項２０】
前記データ領域内に配置された表面出力用の画像データ又は裏面出力用の画像データの配置を変更するための変更画面を表示する変更画面表示処理ステップと、
前記配置変更画面において変更された一方の出力用の画像データの配置に応じて、これに対応する他方の出力用の画像データの配置をそれらの相対位置を保つように調整する配置調整処理ステップと、をさらに含むことを特徴とする請求項１９記載のプログラム。
【請求項２１】
記録用紙の表面用画像データと裏面用画像データに基づく画像を出力指示信号に従って前記記録用紙の表面と裏面に出力することでカラープルーフを作成する画像出力装置に対して、その出力制御を行う制御装置のコンピュータにおいて実行されるプログラムであって、
外部装置から受けた記録用紙の一方の片面出力用の画像データと他方の片面出力用の画像データの組合せを複数保存する保存処理ステップと、
前記保存された各組の一方の片面出力用の画像データと他方の片面出力用の画像データのそれぞれに対して、その出力面が異なるように前記記録用紙の表面と裏面の何れか一方を設定するための設定画面を表示する設定画面表示処理ステップと、
前記設定画面において出力面が設定された各組の一方の片面出力用の画像データと他方の片面出力用の画像データを、その設定された出力面に従って、それぞれ前記記録用紙の表面と裏面の画像出力領域に相当するデータ領域内の互いに対応する位置に配置する画像配置処理ステップと、
前記データ領域内に複数の一方の片面出力用の画像データが配置された画像データと前記複数の他方の片面出力用の画像データが配置された画像データを、それぞれその出力面に従って、前記表面用画像データと前記裏面用画像データとし、それらの画像データをそれぞれ前記記録用紙の表面と裏面に出力させる前記出力指示信号と共に送信する出力制御処理ステップと、を含むことを特徴とするプログラム。
【請求項２２】
前記データ領域内に配置された一方の片面出力用の画像データ又は他方の片面出力用の画像データの配置を変更するための変更画面を表示する変更画面表示処理ステップと、
前記変更画面において変更された一方の出力用の画像データの配置に応じて、これに対応する他方の出力用の画像データの配置をそれらの相対位置を保つように調整する配置調整処理ステップと、をさらに含むことを特徴とする請求項２１記載のプログラム。
【請求項２３】
前記外部装置から受けた記録用紙の表面出力用の画像データと裏面出力用の画像データは、ラスター画像データであることを特徴とする請求項１９乃至請求項２２の何れか一項に記載のプログラム。
【請求項２４】
前記画像出力装置は、カラーレーザープリンタであることを特徴とする請求項１９乃至請求項２３の何れか一項に記載のプログラム。
【請求項２５】
請求項１９乃至請求項２４の何れか一項に記載のプログラムを前記制御装置のコンピュータにより読み出し可能に記憶したことを特徴とする記憶媒体。
【発明の詳細な説明】
【技術分野】
【０００１】
本発明は、両面出力用の画像データを複数含む画像データを出力する場合に、各出力面に対して複数の画像データを配置する際、或いは、それら画像データの位置を変更する際の利便性を向上させる技術に関するものであって、特に、両面出力機能を有するカラーレーザープリンタを、カラープルーフを作成する装置として使用し、両面印刷が成されたカラープルーフを作成するものに関する。
【背景技術】
【０００２】
一般に、印刷物は、チラシ、雑誌、葉書等のように表面と裏面の両面に印刷がなされているものが多いが、それらの印刷物の校正を行うための色見本として、高品質なカラープルーフを出力するカラープルーフ作成装置（以下、ＤＣＰ（Ｄｉｇｉｔａｌ  Ｃｏｌｏｒ  Ｐｒｏｏｆ）作成装置と称する）においては、両面出力を可能とした場合に、機械構成上の複雑さや、両面出力に対応する記録用紙の材料特性に伴う色再現品質の低下等が問題になることを鑑みて、片面のみ出力可能な構成としたものが多い。
【０００３】
しかしながら、このようなカラープルーフ作成装置によっては、表面と裏面の画像を別個に出力することとなるので、作業者は、両面に印刷がなされた実際の印刷物と近い状態で校正を行うために、表面の画像と裏面の画像とを正確な位置で貼り合わせる必要がある。
【０００４】
因みに、高品質なカラープルーフが要求されない場合には、例えば特開平８−６９１０４号公報に記載されるような両面出力が可能なＤＣＰ作成装置（例えば、特許文献１参照）を使用することで、このような手間を省くことができる。
【０００５】
ところで、近年におけるカラーレーザープリンタの高画質化に伴い、このカラーレーザープリンタをＤＣＰ作成装置として使用することが試みられている。これに伴い、特に両面出力機能を備えたカラーレーザープリンタの市場は拡大してきている。
【０００６】
しかしながら、このようなカラーレーザープリンタにおいては、両面出力を行うに際し、連続した２つのページデータの各々を表面と裏面として出力するに留まっている。
【０００７】
これに対して、実際のＤＣＰ作成装置においては、出力処理に係るコスト削減や時間短縮を目的として、両面出力用の画像データに基づく画像が複数個、１つの画像出力領域内に収まる場合には、それらを並べて配置して、これを同時に出力することが行われている。
【０００８】
【特許文献１】特開平８−６９１０４号公報（段落〔００２３〕‐〔００３８〕、第１図乃至第３図）
【発明の開示】
【発明が解決しようとする課題】
【０００９】
ところで、このように両面出力用の画像データに基づく画像を複数含む画像データを出力する場合には、作業者は、例えばモニタ等に表示される画面上において、複数の表面出力用の画像と複数の裏面出力用の画像を、各々、表裏別々の１つの画像出力領域内に配置する作業を行う必要があると共に、表面出力用の画像とこれに対応する裏面出力用の画像の相対位置が合致するように、それらの位置調整を行う必要がある。
【００１０】
さらに、作業者は、表面出力用の画像又は裏面出力用の画像の画像出力領域内における配置を変更した場合には、その配置変更した画像の位置に応じて、これに対応する他方の出力面における画像の位置を調整する必要がある。
【００１１】
しかしながら、作業者にとって、このような調整を行うことは大変手間がかかるものであり、非常に効率が悪いものであった。
【００１２】
本発明は、上記事情に鑑みてなされたものであり、その目的とするところは、両面出力用の画像データを複数含む画像データを出力する場合に、両出力面に関して各画像データの対応関係を保つような配置を行い、また、各出力面に関してそれらの画像データの位置が変更された際に、その相対位置を保つように他方の出力面に関して対応する画像データの位置調整を自動的に行うことで、作業者の手間を省いて、簡便に両面印刷が成されたカラープルーフを作成することができる画像出力システム、制御装置、画像出力方法、その方法を実行させるためのプログラム、及び、そのプログラムを記憶した記憶媒体を提供することにある。
【課題を解決するための手段】
【００１３】
上記課題を解決するために、請求項１記載の発明は、外部装置から受けた記録用紙の表面出力用の画像データと裏面出力用の画像データの組合せを複数保存する保存手段と、前記保存された複数の表面出力用の画像データと複数の裏面出力用の画像データを、それぞれ前記記録用紙の表面と裏面の画像出力領域に相当するデータ領域内の互いに対応する位置に配置する画像配置手段と、前記データ領域内に複数の表面出力用の画像データが配置された画像データと前記複数の裏面出力用の画像データが配置された画像データを、それぞれ表面用画像データと裏面用画像データとし、それらの画像データをそれぞれ前記記録用紙の表面と裏面に出力させる出力指示信号と共に送信する出力制御手段と、を有する制御装置と、前記送信された表面用画像データと裏面用画像データと、それらの出力指示信号を受けて、前記表面用画像データと前記裏面用画像データを、それぞれその出力指示信号に従って前記記録用紙の表面と裏面に出力することでカラープルーフを作成する画像出力装置と、を備えたことを特徴とする。
【００１４】
上記課題を解決するために、請求項３記載の発明は、外部装置から受けた記録用紙の一方の片面出力用の画像データと他方の片面出力用の画像データの組合せを複数保存する保存手段と、前記保存された各組の一方の片面出力用の画像データと他方の片面出力用の画像データのそれぞれに対して、その出力面が異なるように前記記録用紙の表面と裏面の何れか一方を設定するための設定手段と、前記出力面が設定された各組の一方の片面出力用の画像データと他方の片面出力用の画像データを、その設定された出力面に従って、それぞれ前記記録用紙の表面と裏面の画像出力領域に相当するデータ領域内の互いに対応する位置に配置する画像配置手段と、前記データ領域内に複数の一方の片面出力用の画像データが配置された画像データと前記複数の他方の片面出力用の画像データが配置された画像データを、それぞれその出力面に従って、表面用画像データと裏面用画像データとし、それらの画像データをそれぞれ前記記録用紙の表面と裏面に出力させる出力指示信号と共に送信する出力制御手段と、を有する制御装置と、前記送信された表面用画像データと裏面用画像データと、それらの出力指示信号を受けて、前記表面用画像データと前記裏面用画像データを、それぞれその出力指示信号に従って前記記録用紙の表面と裏面に出力することでカラープルーフを作成する画像出力装置と、を備えたことを特徴とする。
【００１５】
上記課題を解決するために、請求項７記載の発明は、記録用紙の表面用画像データと裏面用画像データに基づく画像を出力指示信号に従って前記記録用紙の表面と裏面に出力することでカラープルーフを作成する画像出力装置に対して、その出力制御を行う制御装置であって、外部装置から受けた記録用紙の表面出力用の画像データと裏面出力用の画像データの組合せを複数保存する保存手段と、前記保存された複数の表面出力用の画像データと複数の裏面出力用の画像データを、それぞれ前記記録用紙の表面と裏面の画像出力領域に相当するデータ領域内の互いに対応する位置に配置する画像配置手段と、前記データ領域内に複数の表面出力用の画像データが配置された画像データと前記複数の裏面出力用の画像データが配置された画像データを、それぞれ前記表面用画像データと前記裏面用画像データとし、それらの画像データをそれぞれ前記記録用紙の表面と裏面に出力させる前記出力指示信号と共に送信する出力制御手段と、を有することを特徴とする。
【００１６】
上記課題を解決するために、請求項９記載の発明は、記録用紙の表面用画像データと裏面用画像データに基づく画像を出力指示信号に従って前記記録用紙の表面と裏面に出力することでカラープルーフを作成する画像出力装置に対して、その出力制御を行う制御装置であって、外部装置から受けた記録用紙の一方の片面出力用の画像データと他方の片面出力用の画像データの組合せを複数保存する保存手段と、前記保存された各組の一方の片面出力用の画像データと他方の片面出力用の画像データのそれぞれに対して、その出力面が異なるように前記記録用紙の表面と裏面の何れか一方を設定するための設定手段と、前記出力面が設定された各組の一方の片面出力用の画像データと他方の片面出力用の画像データを、その設定された出力面に従って、それぞれ前記記録用紙の表面と裏面の画像出力領域に相当するデータ領域内の互いに対応する位置に配置する画像配置手段と、前記データ領域内に複数の一方の片面出力用の画像データが配置された画像データと前記複数の他方の片面出力用の画像データが配置された画像データを、それぞれその出力面に従って、前記表面用画像データと前記裏面用画像データとし、それらの画像データをそれぞれ前記記録用紙の表面と裏面に出力させる前記出力指示信号と共に送信する出力制御手段と、を有することを特徴とする。
【００１７】
上記課題を解決するために、請求項１３記載の発明は、記録用紙の表面用画像データと裏面用画像データに基づく画像を出力指示信号に従って前記記録用紙の表面と裏面に出力することでカラープルーフを作成する画像出力装置に対して、その出力制御を行う制御装置における画像出力方法であって、外部装置から受けた記録用紙の表面出力用の画像データと裏面出力用の画像データの組合せを複数保存する保存ステップと、前記保存された複数の表面出力用の画像データと複数の裏面出力用の画像データを、それぞれ前記記録用紙の表面と裏面の画像出力領域に相当するデータ領域内の互いに対応する位置に配置する画像配置ステップと、前記データ領域内に複数の表面出力用の画像データが配置された画像データと前記複数の裏面出力用の画像データが配置された画像データを、それぞれ前記表面用画像データと前記裏面用画像データとし、それらの画像データをそれぞれ前記記録用紙の表面と裏面に出力させる前記出力指示信号と共に送信する出力制御ステップと、を含むことを特徴とする。
【００１８】
上記課題を解決するために、請求項１５記載の発明は、記録用紙の表面用画像データと裏面用画像データに基づく画像を出力指示信号に従って前記記録用紙の表面と裏面に出力することでカラープルーフを作成する画像出力装置に対して、その出力制御を行う制御装置における画像出力方法であって、外部装置から受けた記録用紙の一方の片面出力用の画像データと他方の片面出力用の画像データの組合せを複数保存する保存ステップと、前記保存された各組の一方の片面出力用の画像データと他方の片面出力用の画像データのそれぞれに対して、その出力面が異なるように前記記録用紙の表面と裏面の何れか一方が設定される設定ステップと、前記出力面が設定された各組の一方の片面出力用の画像データと他方の片面出力用の画像データを、その設定された出力面に従って、それぞれ前記記録用紙の表面と裏面の画像出力領域に相当するデータ領域内の互いに対応する位置に配置する画像配置ステップと、前記データ領域内に複数の一方の片面出力用の画像データが配置された画像データと前記複数の他方の片面出力用の画像データが配置された画像データを、それぞれその出力面に従って、前記表面用画像データと前記裏面用画像データとし、それらの画像データをそれぞれ前記記録用紙の表面と裏面に出力させる前記出力指示信号と共に送信する出力制御ステップと、を含むことを特徴とする。
【００１９】
上記課題を解決するために、請求項１９記載の発明は、記録用紙の表面用画像データと裏面用画像データに基づく画像を出力指示信号に従って前記記録用紙の表面と裏面に出力することでカラープルーフを作成する画像出力装置に対して、その出力制御を行う制御装置のコンピュータにおいて実行されるプログラムであって、外部装置から受けた記録用紙の表面出力用の画像データと裏面出力用の画像データの組合せを複数保存する保存処理ステップと、前記保存された複数の表面出力用の画像データと複数の裏面出力用の画像データを、それぞれ前記記録用紙の表面と裏面の画像出力領域に相当するデータ領域内の互いに対応する位置に配置する画像配置処理ステップと、前記データ領域内に複数の表面出力用の画像データが配置された画像データと前記複数の裏面出力用の画像データが配置された画像データを、それぞれ前記表面用画像データと前記裏面用画像データとし、それらの画像データをそれぞれ前記記録用紙の表面と裏面に出力させる前記出力指示信号と共に送信する出力制御処理ステップと、を含むことを特徴とする。
【００２０】
上記課題を解決するために、請求項２１記載の発明は、記録用紙の表面用画像データと裏面用画像データに基づく画像を出力指示信号に従って前記記録用紙の表面と裏面に出力することでカラープルーフを作成する画像出力装置に対して、その出力制御を行う制御装置のコンピュータにおいて実行されるプログラムであって、外部装置から受けた記録用紙の一方の片面出力用の画像データと他方の片面出力用の画像データの組合せを複数保存する保存処理ステップと、前記保存された各組の一方の片面出力用の画像データと他方の片面出力用の画像データのそれぞれに対して、その出力面が異なるように前記記録用紙の表面と裏面の何れか一方を設定するための設定画面を表示する設定画面表示処理ステップと、前記設定画面において出力面が設定された各組の一方の片面出力用の画像データと他方の片面出力用の画像データを、その設定された出力面に従って、それぞれ前記記録用紙の表面と裏面の画像出力領域に相当するデータ領域内の互いに対応する位置に配置する画像配置処理ステップと、前記データ領域内に複数の一方の片面出力用の画像データが配置された画像データと前記複数の他方の片面出力用の画像データが配置された画像データを、それぞれその出力面に従って、前記表面用画像データと前記裏面用画像データとし、それらの画像データをそれぞれ前記記録用紙の表面と裏面に出力させる前記出力指示信号と共に送信する出力制御処理ステップと、を含むことを特徴とする。
【００２１】
上記課題を解決するために、請求項２５記載の発明は、請求項１９乃至請求項２４の何れか一項に記載のプログラムを前記制御装置のコンピュータにより読み出し可能に記憶したことを特徴とする。
【発明の効果】
【００２２】
本発明に係る画像出力システム、制御装置、画像出力方法、その方法を実行させるためのプログラム、及び、そのプログラムを記憶した記憶媒体によれば、両面出力用の画像データを複数含む画像データを出力する場合に、両出力面に関して各画像データの対応関係を保つような配置が行われ、また、各出力面に関して画像データの位置が変更された際に、その相対位置を保つように他方の出力面に関して対応する画像データの位置調整が行われるので、作業者は、それらの作業を行う手間が省かれ、簡便な出力作業を行い、両面印刷が成されたカラープルーフを作成することができる。
【発明を実施するための最良の形態】
【００２３】
以下、本発明に係る画像出力システム、制御装置、画像出力方法、その方法を実行させるためのプログラム、及び、そのプログラムを記憶した記憶媒体の好適な実施の形態の一例について、図面を参照しながら具体的に説明する。
【００２４】
［画像出力システム］
まず、本実施形態における画像出力システムのシステム構成及び概略動作について、印刷製版工程の流れを踏みつつ、図１を参照して、図２に示すフローチャートの流れに沿って説明する。
【００２５】
＜システム構成＞
図１に示すように、当該画像出力システムは、画像データの画像編集、具体的には面付け作業を行うための、少なくとも１台のクライアント端末１と、このクライアント端末１からネットワークを介して送信された、例えばＰｏｓｔＳｃｒｉｐｔで記述されたカンプ用画像データ（ページ面付けする前の単ページの画像データ）や、後述するＣＴＰ用ＲＩＰ４から送信されたＲＩＰ処理（例えばＰｏｓｔＳｃｒｉｐｔ等で記述された画像データをラスター画像データ（カラーレーザープリンタ３の出力解像度にあわせたビットマップデータ）に変換する処理）の施された最終出力用画像データ（カンプ用画像データを複数面付けした画像データ）を解析して、必要に応じて、即ち、送信された画像データにＲＩＰ処理が施されていない場合には、これにＲＩＰ処理を施し、当該ラスター化された画像データと共に出力指示情報、具体的には、ラスター画像データの出力指示や当該ラスター画像データに基づく画像を出力する記録用紙のサイズや出力面を指定する情報等を後述する画像出力装置であるカラーレーザープリンタ３に送信する制御装置２と、この制御装置２から送信されたカンプ用画像データに基づく画像や、後述するＣＴＰ用ＲＩＰ４から送信された最終出力用画像データに基づく画像を出力指示情報に従って該当するサイズの記録用紙の該当する出力面に出力するカラーレーザープリンタ３と、クライアント端末１から送信された、例えばＰｏｓｔＳｃｒｉｐｔで記述された最終出力用画像データにＲＩＰ処理（ＣＴＰ６やＤＣＰ作成装置７の出力解像度にあわせてビットマップデータに変換する処理）を施した後、これを制御装置２やＣＴＰ６、高精度なＤＣＰが必要な場合には、ＤＣＰ制御装置５に送信するＣＴＰ用ＲＩＰ４と、このＣＴＰ用ＲＩＰ４からＤＣＰ制御装置５を介して送信された最終出力用画像データに基づく画像をＤＣＰとして出力するＤＣＰ作成装置７と、このＣＴＰ用ＲＩＰ４から送信された最終出力用画像データに基づく画像を出力するＣＴＰ６とから構成されている。
【００２６】
尚、クライアント端末１、制御装置２、ＣＴＰ用ＲＩＰ４及びＤＣＰ制御装置５は、各々、コンピュータ端末として動作するものであって、コンピュータ本体、キーボード等の操作手段、モニタ等の表示手段を備え、所定の動作プログラムが組み込まれている。さらに、クライアント端末１は、画像編集を行うための編集プログラム、イメージスキャナ等の必要な画像入力機器を備えている。
【００２７】
また、カラーレーザープリンタ３は、電子写真方式の複写手段、イメージスキャナ等のスキャン手段、互いに異なるサイズの記録用紙を収納する複数の給紙カセット等を備えた両面出力を行うことが可能なマルチファンクションプリンタであって、上述したように、制御装置２から送信された出力指示情報に従って、該当するサイズの記録用紙を給紙カセットから給紙して、その記録用紙の該当する出力面（表面、裏面又は両面）にカンプ用画像データに基づく画像や最終出力用画像データに基づく画像を出力する。
【００２８】
＜概略動作＞
図２に示すように、このような構成において、クライアント端末１にて画像編集された画像データは、制御装置２へ送信され、これを受けた制御装置２は、当該画像データを解析して、当該画像データにＲＩＰ処理が施されていない場合には、これにＲＩＰ処理を施し（ラスター画像データに変換し）、当該ラスター画像データと共に出力指示情報をカラーレーザープリンタ３へ送信し、これを受けたカラーレーザープリンタ３は、出力指示情報に従って、該当するサイズの記録用紙の該当する出力面にカンプ用画像データに基づく画像を出力する（Ｓ０１）。これにより、カラーカンプが作成される。尚、此処に言う“カラーカンプ”とは、色付きの仕上がり見本のことであり、ページ面付けされる写真やイラストのダミーとして最終的な印刷物に近い仕上がりイメージを見せることにより、デザインが企画・編集意図に沿ったものであるかどうかの検討や、クライアントの承諾を得るためなどに作成されるものである。即ち、この際には、単ページの小サイズ出力が行われ、印刷発注主やデザイナーによって文字校正や色校正等の作業結果確認が行われる（Ｓ０２）。
【００２９】
ここで、印刷発注主やデザイナーにより問題がないことが確認された場合には（Ｓ０２、Ｙｅｓ）、クライアントである印刷会社の作業者によりクライアント端末１において面付け作業が行われる（Ｓ０３）。尚、此処に言う“面付け作業”とは、製版フィルムを最終的に印刷して折り丁にしたときにノンブル（そのページが何ページ目かがわかるように、ページの端に入れておく番号のこと）が順に並ぶように、写真やイラスト等の画像を１６ページ単位、或いは８ページ単位や４ページ単位で、印刷機にかける用紙のサイズに合わせて貼り合わせる作業のことである。
【００３０】
そして、印刷会社の作業者によりクライアント端末１からＣＴＰ用ＲＩＰ４へ面付け作業が行われた最終出力用の画像データが送信されると、これを受けたＣＴＰ用ＲＩＰ４は、その最終出力用の画像データに対してＲＩＰ処理を施す。具体的には、ＤＣＰ作成装置７やＣＴＰ６の出力解像度にあわせてビットマップデータに変換することでラスター画像データを作成する（Ｓ０４）。このラスター画像データは、ＣＴＰ用ＲＩＰ４から制御装置２へ送信され、これを受けた制御装置２は、当該ラスター画像データと共に出力指示情報をカラーレーザープリンタ３へ送信し、これを受けたカラーレーザープリンタ３は、出力指示情報に従って、該当するサイズの記録用紙の該当する出力面、例えば表面、裏面又は両面にそのラスター画像データに基づく画像を出力して、これをＤＣＰとして排紙する（Ｓ０５）。ここで、高精度のＤＣＰが必要になる場合には、ＣＴＰ用ＲＩＰ４は、ラスター画像データをＤＣＰ制御装置５へ送信して、これを受けたＤＣＰ制御装置５は、ＤＣＰ作成装置７の出力制御を行い、ＤＣＰ作成装置７がそのラスター画像データに基づく画像を出力して、これをＤＣＰとして排紙する（Ｓ０５）。尚、カラーレーザープリンタ３において、最終出力用の画像データに基づく画像が出力される記録用紙は、印刷機により印刷される用紙と同様、若しくは、似通った種類のものが使用されることとする。
【００３１】
そして、ＤＣＰの色校正が行われ、印刷発注主やデザイナーにより問題がないことが確認された場合には（Ｓ０６、Ｙｅｓ）、印刷発注主やデザイナーは、ＣＴＰ用ＲＩＰ４からラスター画像データ（ＤＣＰを出力する際に用いたデータと同一のもの）をＣＴＰ６に送信して、これを受けたＣＴＰ６は、印刷版に直接画像記録を行う（Ｓ０７）。さらに、印刷会社の作業者は、その印刷版により印刷を行い、その印刷物である面付けされた画像の色校正が行われ、ここで、問題がないことが確認された場合には（Ｓ０８、Ｙｅｓ）、印刷機により最終印刷物を印刷する工程に移行する（Ｓ０９）。
【００３２】
［制御装置］
次に、当該画像出力システムを構成する制御装置２の詳細構成及び詳細動作について、図３、図５乃至図８を参照しつつ、図４に示すフローチャートの流れに沿って説明する。尚、以下においては、本発明の特徴部分、即ち、両面出力用の画像データを複数含む画像データを出力する場合に、両出力面に関して各画像データの対応関係を保つような配置を行い、また、各出力面に関して画像データの位置が変更された際に、その相対位置を保つように他方の出力面に関して対応する画像データの位置調整を行う処理について、ＣＴＰ用ＲＩＰ４から受信した複数の両面出力用の画像データとして、例えば複数のカンプ用画像データを同時に出力する場合を例に挙げて説明する。因みに、このような出力は、複数の両面印刷が成された印刷物の色見本であるカラープルーフを同時に作成するような場合に行われる。
【００３３】
＜詳細構成＞
図３に示すように、制御装置２は、ＣＴＰ用ＲＩＰ４から受信したラスター画像データである複数の両面出力用の画像データ（記録用紙の一方の片面に出力するための画像データと他方の片面に出力するための画像データを１組とする画像データ）を保存する画像データ保存部２０と、この画像データ保存部２０に保存された複数組の画像データの各々に対して、その組を構成する一方の片面出力用の画像データと他方の片面出力用の画像データを１組とする画像データに基づく画像をそれぞれ出力する出力面として記録用紙の表面と裏面を設定するための手段である表裏設定部２１と、この表裏設定部２１によって設定された出力面に従って画像データ保存部２０に保存された複数組の画像データの各々を表面出力用の画像データと裏面出力用の画像データに分類した上で、それらの画像データを、それぞれ１つの画像出力領域に相当するデータ領域内に配置して、それらを１つの表面用画像データと１つの裏面用画像データとする画像配置部２２と、この画像配置部２２により、それぞれ１つの画像出力領域に相当するデータ領域内に配置された表面出力用の画像データ又は裏面出力用の画像データの配置を表示部に表示されるＧＵＩ（Ｇｒａｐｈｉｃａｌ  Ｕｓｅｒ  Ｉｎｔｅｒｆａｃｅ）を介して変更するための配置変更部２３と、この配置変更部２３によって配置が変更された表面出力用の画像データ又は裏面出力用の画像データの配置に応じて、これに対応する他方の出力面の裏面出力用の画像データ又は表面出力用の画像データの配置を、それらの相対位置を保つように調整する配置調整部（本実施形態においては、上述した画像配置部２２が当該配置調整部を兼用するものとする）と、この配置調整部を兼用する画像配置部２２から出力された表面用画像データ及び裏面用画像データに対して、順次、色調整やスクリーン処理（写真やイラストなどのように階調のある原稿を、印刷用の原稿に加工するために細かい点の集まり（網、網点、ハーフトーンドット等）に置き換える処理のこと）を施して出力するスクリーン処理部２４と、このスクリーン処理部２４から出力された表面用画像データ及び裏面用画像データを出力指示信号、具体的には、当該画像データを出力する旨の指示や当該画像データに基づく画像を出力する記録用紙のサイズや出力面を指定する情報等と共にカラーレーザープリンタ３へ送信する出力制御部２５と、を備えて構成されている。
【００３４】
＜詳細動作＞
図４に示すように、このような構成において、ＣＴＰ用ＲＩＰ４から複数組の両面出力用画像データである、例えばカンプ用画像データが送信されると、制御装置２の画像データ保存部２０は、これを保存して（保存処理ステップ；Ｓ１０）、表裏設定部２１による制御の下、表示部は、それら複数組の画像データに関する情報を、例えば図５（Ａ）、（Ｂ）に示すような画像データ一覧画面１０Ａにて一覧表示する。尚、図５（Ａ）に示す画像データ一覧画面１０Ａにおいては、組合せ欄１０Ａａにて示される各組の画像データのファイル名として、例えばクライアントＡ向けの画像データのファイル名である“ＡＡＡＡ＿Ｐ１”及び“ＡＡＡＡ＿Ｐ２”と、クライアントＢ向けの画像データの“ＢＢＢＢ＿Ｐ１”及び“ＢＢＢＢ＿Ｐ２”等が示されており、それぞれ異なるクライアント向けの画像データを同一の画像出力領域内に配置することとなるが、この他にも、例えば図５（Ｂ）に示すように、クライアントＡ向けのみの画像データを同一の画像出力領域内に配置することとしても良い。ところで、画像データ保存部２０に保存される画像データは、所謂、１ページを単位とする画像データであって、本例においては、当該画像データにその出力ページ番号に関する情報が付加されているものとする。即ち、上述したファイル名に含まれる“＿Ｐ１”や“＿Ｐ２”等は、当該画像データの出力ページ番号が“１”や“２”であることを示している。
【００３５】
ここで、表裏設定部２１による制御の下、表示部は、この画像データ一覧画面１０Ａに加えて、当該一覧表示される複数組の画像データの各組に対して、一方の片面出力用の画像データと他方の片面出力用の画像データの互いに異なる出力面として、表面と裏面を設定するための設定画面である、例えば図６に示すような表裏設定画面１００Ａを表示する（設定画面表示処理ステップ；Ｓ１１）。作業者は、この表裏設定画面１００Ａにおいて、操作部の操作により、まず、後述する画像配置部２２による両面印刷レイアウト処理（複数の表面出力用画像データと複数の裏面出力用画像データを各々別個の画像出力領域に相当するデータ領域内に配置する処理）を実行するのか否かを“両面印刷レイアウト”項目１００Ａａをチェックするか否かによって選択し、さらに、“奇数ページ”項目１００Ａｂの“表”欄又は“裏”欄をチェックすることで、図５（Ａ）、（Ｂ）の画像データ一覧画面１０Ａにて一覧表示された画像データの出力ページ番号が奇数となっている画像データを表面出力用の画像データ又は裏面出力用の画像データの何れとするのかを選択する。因みに、図６においては、出力ページ番号が奇数である画像データを表面出力用の画像データとするものと選択されている。これにより、図５（Ａ）、（Ｂ）の画像データ一覧画面１０Ａにて一覧表示された各組の画像データの各々が、表／裏欄１０Ａｂに示すように、当該画像データに基づく画像を出力する出力面として表面と裏面とに分類される。尚、この出力面の設定内容は、画像配置部２２の不図示の記憶部に保持される。因みに、このような設定操作は、出力毎に行う必要はなく、その設定内容を変更したいときに行えば良い。これにより、出力面の設定（設定画面表示処理ステップ；Ｓ１１）を省略することができる。
【００３６】
これを受けて、画像配置部２２は、この表裏設定画面１００Ａにおいて設定された出力面に従って、本例においては、出力ページ番号が奇数である画像データを表面出力用の画像データとして、それらの画像データを１つの画像出力領域に相当するデータ領域内に配置し、また、出力ページ番号が偶数である画像データを裏面出力用の画像データとして、それらの画像データに基づく画像をもう１つの画像出力領域に相当するデータ領域内に配置する処理を行う（画像配置処理ステップ；Ｓ１２）。
【００３７】
画像配置部２２は、この際、画像データ保存部２０に保存された画像データ、即ち、上述の一覧表示された画像データに基づく画像のサイズ（例えば、縦横の長さ）を当該画像データに記述された記述情報から取得し、また、それらの画像データを出力する記録用紙の画像出力領域のサイズ（例えば、縦横の長さ）を当該制御装置２の記憶部に記憶された記憶情報から取得して、それらの大きさを比較することで、各画像データを配置可能なデータ領域を判断して、所定のプログラムに従って、順次（例えば、記録用紙の画像出力領域内の左上から右下に向かって）表面出力用の画像データを１つの記録用紙の画像出力領域に相当するデータ領域内に配置する処理を行うと共に、この表面出力用の画像データの記録用紙の画像出力領域内における位置に応じて、順次、裏面出力用の画像データをもう１つの記録用紙の画像出力領域に相当するデータ領域内の対応する位置（記録用紙に出力したときに表裏の関係となる位置）に配置する処理を行う。尚、このような処理は、表面出力用の画像データと裏面出力用の画像データがそれぞれラスター画像データ、即ち、位置情報を有する画像データであることから容易に行うことができる。また、上述した当該制御装置２の記憶部には、カラーレーザープリンタ３の各給紙カセットに収納される記録用紙のサイズに応じて、予め、それらに対応する画像出力領域のサイズ（例えば、縦横の長さ）に関する情報が記憶されていることとする。
【００３８】
この際、表示部は、例えば図７に示すように、画像配置部２２によって１つの画像出力領域内に配置された表面出力用の画像データに基づく画像の配置状態を表示すると共に、もう１つの画像出力領域内に配置された裏面出力用の画像データに基づく画像の配置状態を表示する。尚、図７に示すように、画像配置部２２は、例えば上述した表面出力用の画像データであるファイル名“ＡＡＡＡ＿Ｐ１”や“ＢＢＢＢ＿Ｐ１”等と対応する位置、即ち、記録用紙に出力したときにその真裏に当たる位置に、これに対応する裏面出力用の画像データであるファイル名“ＡＡＡＡ＿Ｐ２”や“ＢＢＢＢ＿Ｐ２”等を配置する。
【００３９】
これを受けて、配置変更部２３は、表示部を制御することで、この画像配置部２２によって１つの画像出力領域内に配置された表面出力用の画像データに基づく画像の配置状態と、もう１つの画像出力領域内に配置された裏面出力用の画像データに基づく画像の配置状態に加えて、それら画像データの位置を変更するための変更画面であるＧＵＩ（例えば、マウス操作によるドラッグ＆ドロップを実施するためのカーソル等）を表示する（変更画面表示処理ステップ；Ｓ１３）。
【００４０】
ここで、作業者が操作部により、このＧＵＩを介して、画像配置部２２によって１つの画像出力領域内に配置された表面出力用の画像データに基づく画像の配置状態、又は、もう１つの画像出力領域内に配置された裏面出力用の画像データに基づく画像の配置状態を変更する操作を行った場合には（Ｓ１４、ＹＥＳ）、表示部は、その変更された画像の配置状態を表示すると共に、配置変更部２３は、これを受けて、その変更された画像データの画像出力領域に相当するデータ領域内における位置に応じて、これに対応する画像データのもう１つの画像出力領域に相当するデータ領域内における位置を、それらの相対位置を保つように調整する処理を行う（配置調整処理ステップ；Ｓ１５）。具体的には、配置変更部２３は、この際、操作部からの操作信号から、配置が変更された画像データに関する情報やその変更後の位置に関する情報を取得して、これに対応する画像データのもう１つの画像出力領域に相当するデータ領域内における位置を、それらの相対位置を保つ位置に移動させるデータ書換え処理を行う。
【００４１】
これを受けて、表示部は、その他方の画像出力領域内において、その調整された画像データに基づく画像の配置状態を表示する。この際、例えば図８に示すように、作業者が操作部により、表面出力用の画像データであるファイル名“ＣＣＣＣ＿Ｐ１”とファイル名“ＢＢＢＢ＿Ｐ１”に基づく画像の位置を入れ替える操作を行った場合には、表示部は、その変更された画像データに基づく画像の配置状態を表示すると共に、配置変更部２３は、それらの変更された画像データであるファイル名“ＣＣＣＣ＿Ｐ１”とファイル名“ＢＢＢＢ＿Ｐ１”に基づく画像データのデータ領域内における位置に応じて、これに対応する裏面出力用の画像データであるファイル名“ＣＣＣＣ＿Ｐ２”とファイル名“ＢＢＢＢ＿Ｐ２”に基づく画像データの他方のデータ領域内における位置を、それら表面出力用の画像データと裏面出力用の画像データの相対位置を保つように調整する。
【００４２】
このようにして、作業者による表面出力用の画像データに基づく画像の配置状態、又は、もう１つの画像出力領域内に配置された裏面出力用の画像データに基づく画像の配置状態を変更する作業が終了すると、画像配置部２２は、それら複数の表面出力用の画像データが１つの画像出力領域に相当するデータ領域内に配置された画像データと裏面出力用の画像データが１つの画像出力領域に相当するデータ領域内に配置された画像データを、それぞれ１つの表面用画像データと裏面用の画像データとしてスクリーン処理部２４に出力する。
【００４３】
これを受けたスクリーン処理部２４は、それら表面用画像データと裏面用の画像データの各々に対して、順次、色調整やスクリーン処理を施し、これを出力制御部２５に出力する。
【００４４】
これを受けた出力制御部２５は、このスクリーン処理部２４から出力された表面用画像データと裏面用の画像データの各々と、その出力指示信号、具体的には、当該画像データを出力する旨の指示や当該画像データに基づく画像を出力する記録用紙のサイズや出力面を指定する情報等を共にカラーレーザープリンタ３へ送信する（出力制御処理ステップ；Ｓ１６）。
【００４５】
これを受けたカラーレーザープリンタ３は、送信された表面用画像データと裏面用の画像データに基づく画像を、各々、その出力指示情報に従って該当するサイズの記録用紙の該当する出力面、即ち、表面と裏面に出力する。これにより、最終出力用の画像データに基づく画像が両面印刷されたＤＣＰが作成される。
【００４６】
以上に説明したように、本実施形態における画像出力システムにおいては、両面出力用の画像データを複数含む画像データを出力する場合に、制御装置２の画像配置部２２によって、自動的に両出力面に関して各画像データの対応関係を保つような配置が行われ、また、作業者が配置変更部２３により、各出力面に関する画像データの位置を変更した際には、画像配置部（配置調整部を兼ねる）２２によって、自動的に、その相対位置を保つように他方の出力面に関して対応する画像データの位置調整が行われるので、作業者は、それらの作業を行う手間を省くことができ、簡便な出力操作を行い、両面印刷が成されたカラープルーフを作成することができる。
【００４７】
［プログラム及びこれを記憶する記憶媒体］
尚、当該画像出力システムを構成する制御装置２において行われる処理、具体的には、図４に示すフローチャートのＳ１０（保存処理ステップ）〜Ｓ１６（出力制御処理ステップ）までの処理を実行させるためのプログラムは、当該装置２に内蔵、若しくは、接続される記憶部に記憶されており、同じく当該装置２に内蔵される演算部により、これが読み出されて実行されるものとする。
【００４８】
上述した記憶部の具体例としては、例えばＲＯＭ、ＲＡＭ、フラッシュメモリ等の半導体メモリ、並びに、集積回路等のメモリ装置、光ディスク、光磁気ディスク（ＣＤ−ＲＯＭ／ＤＶＤ−ＲＡＭ／ＤＶＤ−ＲＯＭ／ＭＯ等）、磁気記憶媒体＜磁気ディスク＞（ハードディスク／フロッピー（登録商標）ディスク／ＺＩＰ等）等を挙げることができる。
【００４９】
ところで、以上に説明した本実施形態における画像出力システム、制御装置、画像分割方法、その方法を実行させるためのプログラム、及び、そのプログラムを記憶した記憶媒体は、本発明の好適な一実施形態を例示したものであり、その他の実施形態を除外するものではない。
【００５０】
例えば、本実施形態においては、ＣＴＰ用ＲＩＰ４から複数組の画像データが送信されて、これを受けた制御装置２においては、表裏設定部２１による制御の下、表示部が、それら複数組の画像データに関する情報を一覧表示して、作業者が、各組の画像データに対して、その出力面として表面と裏面を設定することとしたが、この他にも、例えば、ＣＴＰ用ＲＩＰ４から、予めその出力面が定義された複数組の表面出力用の画像データ及び裏面出力用の画像データが送信されることとしても良い。
【００５１】
また、本実施形態においては、カラーレーザープリンタ３は、両面出力が可能な構成としたが、この他にも、例えばカラーレーザープリンタ３が片面のみ出力が可能な構成とする場合には、制御装置２の出力制御部２５は、表面用画像データと裏面用画像データと共に、それらの出力指示情報として、表面用画像データと裏面用画像データの各々を別個の記録用紙の片面に出力する旨の信号を送信するように設定が成されるものとし、これを受けたカラーレーザープリンタ３においては、送信された表面用画像データと裏面用画像データの各々の画像データに基づく画像を、送信された出力指示信号に従って、別個の記録用紙の片面に出力することにしても良い。このような場合には、作業者は、それらの出力物を貼り合せることで、最終的にＤＣＰを作成することになる。
【図面の簡単な説明】
【００５２】
【図１】本発明に係る画像出力システムの一実施形態における全体構成を表す構成図である。
【図２】図１に示す画像出力システムにおいて行われる印刷製版業務の一連の流れを表すフローチャートである。
【図３】図１に示す制御装置の詳細構成を表す機能ブロック図である。
【図４】図３に示す制御装置において行われる両面出力用の画像データの配置処理の一連の流れを表すフローチャートである。
【図５】図３に示す制御装置の表示部において、画像データ保存部に保存された複数組の画像データに関する情報が一覧表示される過程について説明するための説明図である。
【図６】図５に示す一覧表示された画像データの各々に対してその出力面を設定するための表裏設定画面の画面構成を表す構成図である。
【図７】図３に示す制御装置の表示部において、表面出力用画像データに基づく画像と裏面出力用画像データに基づく画像が各々１つの画像出力領域内に配置された状態が表示される過程について説明するための説明図である。
【図８】図３に示す制御装置の配置変更部によって、表面出力用画像データの配置状態又は裏面出力用画像データの配置状態に変更があった場合に、画像配置部によって、その変更された画像データの配置に応じて、当該画像データに対応する他方の出力面に関する画像データの配置状態が調整される過程を説明するための説明図である。
【符号の説明】
【００５３】
１  クライアント端末
２  制御装置
２０  画像データ保存部
２１  表裏設定部
２２  画像配置部（兼、画像調整部）
２３  配置変更部
２４  スクリーン処理部
２５  出力制御部
３  カラーレーザープリンタ
４  ＣＴＰ用ＲＩＰ
５  ＤＣＰ制御装置
６  ＣＴＰ
７  ＤＣＰ作成装置
１０Ａ  画像データ一覧画面
１００Ａ  表裏設定画面
１００Ａａ  両面印刷レイアウト項目
１００Ａｂ  奇数ページ項目
【図１】
2005122300.tif 000003
【図２】
2005122300.tif 000004
【図３】
2005122300.tif 000005
【図４】
2005122300.tif 000006
【図５】
2005122300.tif 000007
【図６】
2005122300.tif 000008
【図７】
2005122300.tif 000009
【図８】
2005122300.tif 000010